(57)【特許請求の範囲】
【請求項１】
手元側に釣糸導入口を有するとともに先端部に糸導出口を有する中通し竿内部の釣糸通路に釣糸を通すため、前記糸導出口から前記釣糸通路内に、一端側端部から挿入可能な中通し竿の糸通し具であって、
前記釣糸通路に沿って、屈曲自在な線状の芯材と、
孔を有し、前記芯材が前記孔を連通することで、前記芯材上に数珠状に連続して配置された小球とを備え、
前記小球は、両端部に位置するものが前記芯材に固定されており、
前記一端側端部近傍の前記小球と隣接する他の前記小球との間が前記釣糸を係止可能な釣糸係止部となるようにした
ことを特徴とする糸通し具。
【請求項２】
前記小球は前記芯材全体に連続して配置されている、請求項１に記載の糸通し具。
【請求項３】
前記小球は前記芯材の前記一端に連続して配置されている、請求項１に記載の糸通し具。
【請求項４】
前記芯材の前記一端側端部には、前記一端側端部に連結され、前記小球とほぼ同様な径を有し前記釣糸を係止可能な釣糸係止部をさらに有する、請求項１〜３のいずれかに記載の糸通し具。
【発明の詳細な説明】
【０００１】
【発明の属する技術分野】
本発明は、中通し竿の内部に釣糸を通すために用いられる中通し竿の糸通し具に関する。
【０００２】
【従来の技術】
従来の中通し竿は、竿体内部に釣糸通路を有する元竿と、元竿の穂先側に連結された中竿と、中竿の穂先側に連結された穂先竿とを有している。この元竿は、竿体外周面に固定されたリールと、リールの穂先側に設けられ釣糸通路内にリールからの釣糸を導入するための釣糸導入口とを有している。また、穂先竿の穂先側先端にはトップガイドが設けられている。このような中通し竿では、リールからの釣糸は釣糸導入口から釣糸通路に導入され、順次竿体内を穂先側に導かれて穂先竿のトップガイドから外部に導出される。
【０００３】
この種の中通し竿において、釣糸導入口から釣糸通路に釣糸を導入して釣糸通路に釣糸を通すために（以下「釣糸挿通操作」という）糸通し具が用いられる。従来の糸通し具は、複数の金属素線をより合わせて形成したワイヤからなる。このワイヤの後端には釣糸を係止するための釣糸係止部が設けられ、またワイヤの先端にはワイヤの素線が広がるのを防止するためのキャップが固定されている。
【０００４】
このような糸通し具を用いて釣糸挿通操作をおこなう際には、まず、糸通し具の釣糸係止部に釣糸を係止して釣糸導入口よりキャップを挿入する。そして、順次穂先側にワイヤを送って穂先側から導出する。
【０００５】
【発明が解決しようとする課題】
例えば、振出形式の釣竿における釣糸挿通操作では、元竿の穂先側に中竿及び穂先竿を引き出して連結した状態で、釣糸導入口内をのぞき込みながら、糸通し具の先端を穂先竿内に直接挿入して行う場合がある。このように釣糸導入口から糸通し具先端を竿体内に挿入する作業は、一定の技術を必要として初心者には困難な場合がある。また、夜釣りなど暗い場所で釣糸挿通操作を行う際には、釣糸導入口内部が見えにくく作業が繁雑になる。
【０００６】
本発明の課題は、中通し竿の釣糸挿通操作を容易に行うことができる糸通し具を提供することにある。
【０００７】
【課題を解決するための手段】
発明１の糸通し具は、手元側に釣糸導入口を有するとともに先端部に糸導出口を有する中通し竿内部の釣糸通路に釣糸を通すため、前記糸導出口から前記釣糸通路内に、一端側端部から挿入可能な中通し竿の糸通し具であって、前記釣糸通路に沿って、屈曲自在な線状の芯材と、孔を有し、芯材が前記孔を連通することで、前記芯材上に数珠状に連続して配置された小球とを備え、前記小球は、両端部に位置するものが前記芯材に固定されており、前記一端側端部近傍の前記小球と隣接する他の前記小球との間が前記釣糸を係止可能な釣糸係止部となるようにしたことを特徴とする。
【０００８】
この糸通し具では、中通し竿の釣糸通路に釣糸を挿通する際には、まず、中通し竿を元竿の穂先側に中竿及び穂先竿を引き出して連結した状態として、穂先側を上方にして中通し竿を傾け、かつ竿体周方向においては釣糸導入口を地面側に向けておく。一方、糸通し具にあっては、一端側から糸通し具を中通し竿の先端側より釣糸通路内に挿入する。糸通し具は自重により釣糸導入口付近に至り、地面側を向いた釣糸導入口より竿体外部へ飛び出してくる。こうして、釣糸導入口より飛び出した糸通し具の芯材の一端側付近の数珠状に連続して配置されている小球と小球との間に釣糸を係止する。そして、釣糸と共に糸通し具を穂先側より引き出して釣糸を釣糸通路に挿通させる。
【０００９】
発明２にかかる糸通し具は、発明１の糸通し具であって、小球は芯材全体に連続して配置されている。この場合には、芯材全体に小球が配置されており、釣糸を挿通させる中通し竿内周面と糸通し具とは球面によって接触するので、中通し竿内周面が傷つくのを防止できる。また、複数の竿体を連結した中通し竿にあっては、竿体と竿体との連結部分も滑らかに通過可能である。
【００１０】
発明３にかかる糸通し具は、発明１の糸通し具であって、小球は芯材の一端に連続して配置されている。この場合には、釣糸を係止する芯材の一端に小球が数珠状に配置されており、釣糸を小球と小球との間に係止して容易に釣糸を中通し竿に挿通可能である。発明４にかかる糸通し具は、発明１〜３のいずれかの糸通し具であって、芯材の一端側端部には、一端側端部に連結され、小球とほぼ同様な径を有し連結された釣糸を係止可能な釣糸係止部をさらに有している。
【００１１】
この場合には、糸通し具を釣糸通路に挿通した後に、リールからの釣糸を釣糸係止部に係止して、穂先側より引き出して、釣糸を釣糸通路内に挿入する。
【００１２】
【発明の実施の形態】
［第１実施形態］
以下、本発明の第１実施形態について図面を参照しつつ説明する。
本発明の第１実施形態にかかる中通し竿は、図１に示すように、元竿１と、元竿１の穂先側に振出形式で連結された元上竿２と、元上竿２の穂先側に順次振出形式で連結される第１中竿３，第２中竿４，穂先竿５とを有している。
【００１３】
元竿１〜穂先竿５はそれぞれやや先細りのテーパが形成された筒状部材である。内部にはそれぞれ釣糸が挿通可能な釣糸通路が形成されている。元竿１の竿元側外周面にはリール７が装着可能なリールシート８が形成されており、竿元側端部には尻栓１０が脱着自在に装着されている。また、元上竿２の穂先側外周面には、リール７からの釣糸Ｌを竿体内部の釣糸通路に導入するための釣糸導入口９が形成されており、釣糸導入口９上にはリール７からの釣糸Ｌを釣糸導入口９へ導く釣糸導入ガイドＧが配置されている。さらに、穂先竿５の穂先側端部にはトップガイド６が配置されており、リール７からの釣糸は釣糸導入ガイドＧを経て釣糸導入口９より竿体内部へ挿入され、順次穂先側に至りトップガイド６から竿体外部へ導出される。
【００１４】
第１中竿３の竿元側端部には、図２に示すように、中竿尻栓１１が連結されている。中竿尻栓１１は、第１中竿３の竿元側端部内周面に形成されたネジ山（図示せず）に螺合して脱着自在に装着される略リング状の本体部１２と、本体部１２に連続して形成され竿元側に延伸した延伸部１３とを有している。本体部１２は合成樹脂等から形成され、中心付近において竿体の軸方向に貫通する貫通孔を有している。この貫通孔には硬質セラミック等からなる硬質リング１４がはめ込まれている。また、延伸部１３は本体部１２と一体的に形成され、円筒型部材を長さ方向に縦割りしたような形状である。延伸部１３は周方向において半周部分が切り開かれて一側面方向に開口しており、延伸部１３が囲む空間Ｐは本体部１２の貫通孔から第１中竿３の釣糸通路へ連通している。なお、第１中竿３を元上竿２の穂先側に引き出して延伸させた状態で連結した場合には、第１中竿３の竿元側端部は元上竿２の釣糸導入口９の穂先側に位置する。詳しくは、中竿尻栓１１の延伸部１３が釣糸導入口９に重なるように位置する。
【００１５】
糸通し具２１は、図３に示すように、屈曲自在な芯材２２と、芯材２２上に数珠状に連続して配置された小球２３とを有している。
芯材２２は、複数の素線をよって形成されたワイヤで形成されており、表面には所定の樹脂がコートされている。この芯材２２の径は０．２〜０．５ｍｍ程度であり、竿体の釣糸通路に沿って自由に屈曲可能になっている。なお、超弾性を有する形状記憶合金を用いて芯材２２を形成してもよい。また、小球２３は、スチール，チタン，これらの合金やステンレス等の金属素材や、ＡＢＳ樹脂等の合成樹脂，強化ガラス等から形成され、芯材２２が連通可能な孔（図示せず）を有している。この孔を芯材２２が連通することで小球２３は芯材２２上に数珠状に配置されている。芯材２２の両端部に位置する小球２３は芯材２２に直接接着剤等で固定されおり、両端以外の小球２３を芯材２２上に固定している。なお、各小球２３を直接芯材２２に接着剤や別の固定部材等によって固定してもよい。
【００１６】
このように構成された糸通し具２１では、以下のように釣糸挿通操作を行う。図４に示すように、中通し竿の釣糸通路に釣糸Ｌを挿通する際には、まず、中通し竿は、穂先竿５及び第２中竿４を第１中竿３内に振出形式に収納し、第１中竿３を元上竿２の穂先側に引き出して連結した状態として、穂先竿５を上空側にして元竿１側を地面側に傾ける。なお、元上竿２にあってはその釣糸導入口９を周方向において地面側に向けて、第１中竿３にあっては、中竿尻栓１１の延伸部１３が釣糸導入口９に向かって開口するように位置させる（図２参照）。一方で、糸通し具２１では、一端側から糸通し具２１をトップガイド６より釣糸通路内に挿入する。釣糸通路内に挿入された糸通し具２１は、自重により釣糸導入口９付近に至り、竿体の連結部分に生じる釣糸通路内の段差も容易に乗り越えて第１中竿３の中竿尻栓１１の延伸部１３へ到達する。そして、地面側を向いた釣糸導入口９より竿体外部へ飛び出してくる。ここで飛び出した芯材２２の一端側の小球２３と隣接する他の小球２３との間に釣糸Ｌを係止し、釣糸Ｌと共に糸通し具２１をトップガイド６より引き抜いて、釣糸Ｌを釣糸通路に挿通させる。
【００１７】
以上のように、本発明の第１実施形態を採用した糸通し具２１では、中通し竿の釣糸通路内周面を痛めることなく、容易に釣糸挿通操作を行うことができる。
［第２実施形態］
以下、本発明の第２実施形態について図面を参照しつつ説明する。
本発明の第２実施形態を採用した糸通し具４１は、図５に示すように、屈曲自在な芯材４２と、芯材４２の一端側に連結され芯材４２より小径の小径芯材４４と、小径芯材４４上に数珠状に連続して配置された小球４３とを有している。
【００１８】
芯材４２及び小径芯材４４は、複数の素線をよって形成されたワイヤで形成されており、表面には所定の樹脂がコートされている。小径芯材４４は芯材４２に比べて１／２〜１／３程度の径を有しており、芯材４２と一体的にまたは別途形成され連結されている。芯材４２及び小径芯材４４は竿体の釣糸通路に沿って自由に屈曲可能であり、超弾性を有する形状記憶合金を用いて形成してもよい。
【００１９】
小球４３は、第１実施形態と同様に、スチール，チタン，これらの合金やステンレス等の金属素材や、ＡＢＳ樹脂等の合成樹脂，強化ガラス等から形成され、小径芯材４４が連通可能な孔（図示せず）を有している。この孔を小径芯材４４が連通することで小球４３は小径芯材４２上に数珠状に配置されている。
このように構成された糸通し具４１と同様に釣糸挿通操作を行うことができる。即ち、一端側から糸通し具４１をトップガイド６より中通し竿の釣糸通路内に挿入する。釣糸通路内に挿入された糸通し具４１は、糸通し具４１の自重、特に一端側に配置されている小球４２の自重により釣糸導入口９付近に至り、竿体の連結部分に生じる釣糸通路内の段差も容易に乗り越えて第１中竿３の中竿尻栓１１の延伸部１３へ到達する。そして、地面側を向いた釣糸導入口９より小径芯材４２が竿体外部へ飛び出してくる。小径芯材４４の端部の小球４３と隣接する他の小球４３との間に釣糸Ｌを係止し、釣糸Ｌと共に糸通し具４１をトップガイド６より引き抜く。ここで、釣糸通路内を糸通し具４２が移動している際には、球状の小球４２が先頭となって釣糸通路内を移動するので、竿体の内周面（釣糸通路の内周面）を痛めることもない。
【００２０】
以上のように、本発明の第２実施形態を採用した糸通し具４１では、中通し竿の釣糸通路内周面を痛めることなく、容易に釣糸挿通操作を行うことができる。
［他の実施形態］
（ａ）本発明に係る糸通し具は周知の中通し竿において釣糸挿通操作時に用いることができる。上記実施形態で示すような中竿尻栓１１を有していない中通し竿であっても、釣糸挿通操作を行うことができる。
（ｂ）図６に示すように、糸通し具５１の芯材５２の一端側に釣糸係止部５５を設けてもよい。この釣糸係止具５５は、小球５３とほぼ同様な径を有する柱状部材であり、軸方向両端には周外方向に膨らんだ鍔部を有している。この鍔部の間に釣糸Ｌを結び付けて、釣糸挿通操作を行うこともできる。なお、釣糸係止部としては、リング状の部材や、釣糸が係止しやすい毛糸部材等を用いてもよい。
【００２１】
【発明の効果】
本発明にかかる糸通し具によれば、容易に釣糸を釣糸通路内に挿通できる。
【図面の簡単な説明】
【図１】中通し竿の全体図。
【図２】図１の釣糸導入口付近の拡大図。
【図３】本発明の第１実施形態を採用した糸通し具を示した図。
【図４】糸通し具の作業を説明するための図。
【図５】本発明の第２実施形態を採用した糸通し具を示した図。
【図６】本発明の他の実施形態を採用した糸通し具を示した図。
【符号の説明】
１  元竿
２  元上竿
３  第１中竿
４  第２中竿
５  穂先竿
６  トップガイド
９  釣糸導入口
１１  中竿尻栓
２１，４１，５１  糸通し具
２２，４２，５２  芯材
２３，４３，５３  小球
４４，小径芯材
【図１】
0004144966.tif 000002
【図２】
0004144966.tif 000003
【図３】
0004144966.tif 000004
【図４】
0004144966.tif 000005
【図５】
0004144966.tif 000006
【図６】
0004144966.tif 000007